(57)【要約】【課題】その抽気装置全体が蓋体から取外されることができる上、取り外される時に弾性付勢手段が落ちたり紛失したりする恐れもない真空密閉容器を提供しようとする。【解決手段】開口２３が上へ向いている中空筒体２と、前記中空筒体２の開口２３上に着脱自在に設けられて該中空筒体２を密封している蓋体３と、前記蓋体３の周壁３２内に上下摺動可能かつ着脱自在に内嵌し、前記密封空間２４内の空気を外へ抽出排除する抽気装置４とからなる真空密閉容器において、弾性伸縮可能な入れ子管４２は、上下２端を有し、前記上端が前記抽気装置４の押圧部４１の頂部の下面に固定されて前記押圧部４１と一体になり、前記下端が前記蓋体３の底壁３１と当接しているように設置構成されていることを特徴とする真空密閉容器。【選択図】      図１
0003102384.tif 000002
【実用新案登録請求の範囲】
【請求項１】
開口が上へ向いている中空筒体と、前記中空筒体の開口上に着脱自在に設けられて該中空筒体を密封している蓋体と、前記密封空間内の空気を外へ抽出排除する抽気装置とからなり、
前記蓋体は、底壁と、前記底壁の周縁から上へ延伸してなる周壁と、前記周壁の上縁から外へ張出して前記中空筒体と着脱可能に結合しているフランジとから構成され、また、その底壁及びフランジに、それぞれ前記密封空間を経由して互いに連通している第１及び第２の穴が開けてあり、該第１及び第２の穴にそれぞれ常時閉の第１及び第２の逆止弁が設けられており、
前記抽気装置は、
開口が下へ向いて断面略Ｕ字形のものであり、前記蓋体の周壁内に上下摺動可能かつ着脱自在に内嵌し、前記蓋体の底壁及び周壁と合わせて伸縮可能な密封の過渡空間を構成している押圧部と、
前記押圧部の頂部の下面と前記蓋体の底壁との間に設けられ、且つその内部に弾性付勢手段が内蔵されており、前記押圧部が押圧されて前記過渡空間を縮小させる時、前記弾性付勢手段が上へ前記押圧部に弾性付勢力を与える弾性伸縮可能な入れ子管と、
前記押圧部の頂面に前記過渡空間を経由して前記第１の穴と連通するように開けられた第３の穴に設けられている常時閉の第３の逆止弁とから構成されている真空密閉容器において、
前記弾性伸縮可能な入れ子管は、上下２端を有し、前記上端が前記押圧部の頂部の下面に固定されて前記押圧部と一体になり、前記下端が前記底壁と当接しているように設置構成されており、
それにより、前記押圧部が押圧されると、前記過渡空間の縮小により前記過渡空間内の空気が前記第３の逆止弁を開けながら前記第３の穴を経由して放出され、前記過渡空間を減圧状態にさせ、前記押圧力が解除されると、前記弾性付勢手段による前記過渡空間の拡大に従って前記密封空間内の空気が前記第１の逆止弁を開けながら前記第１の穴を経由して前記過渡空間内に入り、その内圧を前記密封空間とバランスさせた後、該第１の逆止弁を閉めることができるので、前記押圧と前記押圧解除とを繰返して行うことにより、前記密封空間内を真空状態にさせることができ、また、外力により前記第２の逆止弁を開けることにより、前記密封空間を前記第２の穴を経由して大気に開放させて前記真空状態を解消することができることを特徴とする真空密閉容器。
【請求項２】
前記弾性伸縮可能な入れ子管は、
前記押圧部の頂部の下面から下へ一体に延伸している環状体と、
上下２端を有し、その上端が前記環状体と上下摺動可能・脱着不能に嵌合し、その下端が入れ子管全体の前記下端となって前記底壁と当接し、該下端の内壁には環状の止め板が突出してなっている有底スリーブと、
前記環状体内の前記押圧部の頂部の下面と前記止め板との間に収容されていて、前記押圧部が押圧されると、上へ向く弾性付勢力を前記押圧部に与える前記弾性付勢手段とから構成されていることを特徴とする請求項１に記載の真空密閉容器。
【請求項３】
前記第１、第２及び第３の穴は、それぞれ複数あって通孔群となっていることを特徴とする請求項１に記載の真空密閉容器。
【請求項４】
前記第１の逆止弁は外枠を有するもので、前記第１の穴に取付けられて前記過渡空間内に突出しており、
また、前記有底スリーブの環状の止め板は、前記外枠に外嵌していることを特徴とする請求項２に記載の真空密閉容器。
【請求項５】
前記環状体の下端が前記スリーブに内嵌し、その外縁に、複数の爪片が突出してあり、
前記スリーブの周面に、それぞれ上下向きに延伸し、且つ前記複数の爪片に嵌入されていて前記上下摺動時に前記複数の爪片を案内する複数のスリットが開けてあり、
それにより、前記スリーブが、前記複数の爪片と前記スリットとの嵌合により前記環状体と摺動可能且つ脱着不能に連接していることを特徴とする請求項２に記載の真空密閉容器。
【請求項６】
前記弾性付勢手段としては、コイルばねが使用されていることを特徴とする請求項１乃至５のいずれか１に記載の真空密閉容器
【考案の詳細な説明】
【技術分野】
【０００１】
本考案は、真空密閉容器に関し、特に食品や薬、カメラなどを真空や減圧状態で保存する真空密閉容器に関する。
【背景技術】
【０００２】
発明者は特許文献１において、その抽気装置が容器を密閉するための蓋体から分離されて別に収納される必要がないので、従来の分離タイプより使用が非常に便利である真空密閉容器を開示した。
【特許文献１】米国特許出願公開１０／１０７０３０号明細書
【考案の開示】
【考案が解決しようとする課題】
【０００３】
しかしながら、発明者はそれに基づいて更に研究したところ、このような真空密閉容器には欠点がまだ存在しているのに気付いた。すなわち、特許文献１における第２の実施形態の真空密閉容器は、その抽気装置全体が、中空筒体を密閉する蓋体と一体になっているため、抽気装置がビスケットの屑などに汚れた時、前記蓋体から取外すことができないので、単独で洗浄を行うことができないという欠点があり、また、第１の実施形態における真空密閉容器は、その抽気装置の押圧部を前記蓋体から取外すことができるが、該抽気装置における弾性付勢手段としてのコイルばねが前記押圧部と何らの連接関係がないので、前記押圧部が取外されるに従ってコイルばねが落ちたりひいては落ちてから跳ねたりして紛失してしまうことが時々あるという欠点がある。
【０００４】
上記に鑑みて、本考案の目的は、その抽気装置全体が蓋体から取外されることができる上、取り外される時に弾性付勢手段が落ちたり紛失したりする恐れもない真空密閉容器を提供しようとすることにある。
【課題を解決するための手段】
【０００５】
前記目的を達成するために、考案者は、開口が上へ向いている中空筒体と、前記中空筒体の開口上に着脱自在に設けられて該中空筒体を密封している蓋体と、前記密封空間内の空気を外へ抽出排除する抽気装置とからなり、前記蓋体は、底壁と、前記底壁の周縁から上へ延伸してなる周壁と、前記周壁の上縁から外へ張出して前記中空筒体と着脱可能に結合しているフランジとから構成され、また、その底壁及びフランジに、それぞれ前記密封空間を経由して互いに連通している第１及び第２の穴が開けてあり、該第１及び第２の穴にそれぞれ常時閉の第１及び第２の逆止弁が設けられており、前記抽気装置は、開口が下へ向いて断面略Ｕ字形のものであり、前記蓋体の周壁内に上下摺動可能かつ着脱自在に内嵌し、前記蓋体の底壁及び周壁と合わせて伸縮可能な密封の過渡空間を構成している押圧部と、前記押圧部の頂部の下面と前記蓋体の底壁との間に設けられ、且つその内部に弾性付勢手段が内蔵されており、前記押圧部が押圧されて前記過渡空間を縮小させる時、前記弾性付勢手段が上へ前記押圧部に弾性付勢力を与える弾性伸縮可能な入れ子管と、前記押圧部の頂面に前記過渡空間を経由して前記第１の穴と連通するように開けられた第３の穴に設けられている常時閉の第３の逆止弁とから構成されている真空密閉容器において、前記弾性伸縮可能な入れ子管は、上下２端を有し、前記上端が前記押圧部の頂部の下面に固定されて前記押圧部と一体になり、前記下端が前記底壁と当接しているように設置構成されていることを特徴とする真空密閉容器を提供する。
【０００６】
それにより、前記押圧部が押圧されると、前記過渡空間の縮小により前記過渡空間内の空気が前記第３の逆止弁を開けながら前記第３の穴を経由して放出され、前記過渡空間を減圧状態にさせ、前記押圧力が解除されると、前記弾性付勢手段による前記過渡空間の拡大に従って前記密封空間内の空気が前記第１の逆止弁を開けながら前記第１の穴を経由して前記過渡空間内に入り、その内圧を前記密封空間とバランスさせた後、該第１の逆止弁を閉めることができるので、前記押圧と前記押圧解除とを繰返して行うことにより、前記密封空間内に真空状態をさせることができ、また、外力により前記第２の逆止弁を開けることにより、前記密封空間を前記第２の穴を経由して大気に開放させて前記真空状態を解消することができる。
【考案の効果】
【０００７】
この構成による真空密閉容器は、その抽気装置における押圧部が前記蓋体の周壁内に上下摺動可能かつ着脱自在に内嵌しているので、押圧部が蓋体から取り外されることができるのみならず、また、入れ子管の上端が押圧部の下面に固定され、下端が前記底壁と当接し、且つ弾性付勢手段が前記入れ子管の内部に内蔵されているため、押圧部を蓋体から取外す時、前記弾性付勢手段を含めた前記入れ子管が前記押圧部と共に取外され、すなわち抽気装置全体が前記蓋体と分離することができるので、必要に応じて前記抽気装置や前記蓋体を単独で洗浄することができる上、弾性付勢手段が紛失する恐れがまったくない。
【考案を実施するための最良の形態】
【０００８】
以下、本考案の好ましい実施形態を詳しく説明する。図１は、本考案の真空密閉容器の好ましい実施形態を示す分解断面図であり、図２は、前記実施形態の組立後の断面図である。図１及び図２に示すように、この真空密閉容器は、開口２３が上へ向いている中空円筒体２と、前記中空円筒体２の開口２３上に着脱自在に設けられて該中空円筒体２を密封している蓋体３と、前記密封空間（密閉空間）２４内の空気を外へ抽出排除する抽気装置４とからなっている。
【０００９】
もっと詳しく説明すると、前記中空円筒体２は、食品や薬、カメラなどが装入されるものであり、円形の底面２１と、前記底面２１の周縁から上へ延伸してなる周面２２とから構成されている。前記蓋体３は、円形の底壁３１と、前記底壁３１の周縁から上へ延伸してなる周壁３２と、前記周壁３２の上縁から外へ張出して前記中空円筒体２の周面２２の上縁と着脱可能に結合している環状のフランジ３３とから構成されている。
【００１０】
また、前記蓋体３の前記底壁３１及び前記フランジ３３には、それぞれ前記密封空間２４を経由して互いに連通している第１及び第２の穴３１１，３３１が開けてあり、該第１及び第２の穴３１１，３３１上にそれぞれ常時閉の第１及び第２の逆止弁３４，３５が設けられている。
【００１１】
そして、前記抽気装置４は、主として押圧部４１と弾性伸縮可能な入れ子管４２と常時閉の第３の逆止弁４３とから構成されている。
【００１２】
詳細に説明すると、前記押圧部４１は、開口が下へ向いて断面略Ｕ字形のものであり、前記蓋体３の周壁３２内に上下摺動可能かつ着脱自在に内嵌し、前記蓋体３の底壁３１及び周壁３２と合わせて伸縮可能な密封の過渡空間４４を構成している。また、前記押圧部４１と前記周壁３２との間の気密性を確保するために、前記押圧部４１の下端部の外周縁に、前記押圧部４１の上下摺動に妨害を与えない環状のシールリング４５が設けられている。
【００１３】
前記弾性伸縮可能な入れ子管４２全体は、前記押圧部４１の頂部の下面と前記蓋体３の底壁３１との間に挟まれるように設置されている。該弾性伸縮可能な入れ子管４２は、上下２端を有し、前記上端が前記押圧部４１の頂部の下面に固定されて前記押圧部４１と一体になり、前記下端が前記底壁３１と当接している。
【００１４】
本実施形態において、前記弾性伸縮可能な入れ子管４２は、前記押圧部４１の頂部の下面から下へ一体に延伸している環状体４２１と、上下２端を有し、その上端が前記環状体４２１と上下摺動可能・脱着不能に嵌合し、その下端が入れ子管４２全体の前記下端となって前記底壁３１と当接し、該下端の内壁には環状の止め板４２２１が突出してなっている有底スリーブ４２２と、入れ子管４２の内部に内蔵されるように前記環状体４２１内の前記押圧部４１の頂部の下面と前記止め板４２２１との間に挟まれるように収容されていて、前記押圧部４１が押圧されると、上へ向く弾性付勢力を前記押圧部４１に与える弾性付勢手段４２３とから構成されている。
【００１５】
また、前記第１の逆止弁３４は外枠３４１を有するもので、前記第１の穴３１１に取付けられて前記過渡空間４４内に突出しており、また、前記有底スリーブ４２２の環状の止め板４２２１は、前記外枠３４１に外嵌している。
【００１６】
そして、本実施形態において、前記環状体４２１の下端が前記スリーブ４２２に内嵌し、その外縁に、複数の爪片４２５が突出してあり、前記スリーブ４２２の周面に、それぞれ上下向きに延伸し、且つ前記複数の爪片４２５に嵌入されていて前記上下摺動時に前記複数の爪片４２５を案内する複数のスリット４２４が開けてある。
【００１７】
それにより、前記スリーブ４２２が、前記複数の爪片４２５と前記スリット４２４との嵌合により前記環状体４２１と摺動可能且つ脱着不能に連接している。もちろん、前記環状体４２１と前記スリーブ４２２との間の嵌合構造はそれに限らず、前記環状体４２１の下端が前記スリーブ４２２に外嵌し、または前記爪片４２５と前記スリット４２４の形成位置を交換し、すなわち爪片４２５をスリーブ４２２上に、スリット４２４を環状体４２１に形成してもよい。
【００１８】
そして、前記押圧部４１の頂面には、前記過渡空間４４及び前記複数のスリット４２４を経由して前記第１の穴３１１と連通している第３の穴４１１が開けてある。前記常時閉の第３の逆止弁４３は、前記第３の穴４１１上に設けられている。
【００１９】
本実施形態において、前記第１、第２及び第３の穴は、それぞれ複数あって通孔群となっている。前記弾性付勢手段としては、コイルばねが使用されている。
【００２０】
それにより、図３に示すように、前記抽気装置４の押圧部４１が押圧されると、前記過渡空間４４を縮小させ、この時、前記過渡空間４４内の空気が前記第１の穴を経由して前記密封空間２４に入ることができないので、前記第３の逆止弁４３を開けながら前記第３の穴４１１を経由して放出され、前記過渡空間４４を減圧状態にさせ、そして、図４に示すように、前記押圧力が解除されると、前記弾性付勢手段４２３による前記過渡空間４４の拡大に従って、圧力差により前記密封空間２４内の空気が前記第１の逆止弁３４を開けながら前記第１の穴３１１を経由して前記過渡空間４４内に入り、その内圧を前記密封空間２４とバランスさせた後、該第１の逆止弁３４を閉めることができる。
【００２１】
そうすると、前記押圧と前記押圧解除とを繰返して行うことにより、前記過渡空間４４が徐々に縮小され、最後に、前記密封空間２４内を図５のように真空状態をさせることができ、また、図６に示すように、外力により前記第２の逆止弁３５を開けることにより、前記密封空間２４を前記第２の穴３３１を経由して大気に開放させ、空気を前記密封空間２４及び前記過渡空間４４内に入らせ、前記真空状態を解消することができる。
【００２２】
そして、前記真空密閉容器を洗浄しようとする場合、前記蓋体３が前記中空円筒体２の開口２３上に着脱自在に設けられているので、前記蓋体３を前記中空円筒体２から取外すことができ、また、前記抽気装置４における押圧部４１が前記蓋体３の周壁３２内に着脱自在に内嵌し、且つ前記入れ子管４２の上端が該押圧部４１の下面に固定され、下端が前記底壁３１と当接し、また前記弾性付勢手段４２３が前記入れ子管４２の内部に内蔵されているので、前記押圧部４１を前記蓋体３から取外す時、前記弾性付勢手段４２３を含めた前記入れ子管４２が前記押圧部４１と共に取外され、すなわち抽気装置全体が前記蓋体３と分離することができるので、必要に応じて前記抽気装置４や前記蓋体３を単独で洗浄することができる上、弾性付勢手段４２３としてのコイルばねも紛失する恐れがまったくない。
【産業上の利用可能性】
【００２３】
本考案の真空密閉容器は、その抽気装置が別に収納される必要がなく、構造が簡素で、使用が非常に便利であるのみならず、抽気装置全体が前記蓋体と分離することができるので、必要に応じて前記抽気装置や前記蓋体を単独で洗浄することができる上、弾性付勢手段が紛失する恐れもない。
【００２４】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである
【図面の簡単な説明】
【００２５】
【図１】本考案の真空密閉容器の好ましい実施形態の分解断面図。
【図２】前記実施形態の組立後の断面図。
【図３】前記実施形態における押圧部が押圧された時の断面図。
【図４】図３の押圧力が解除された時の断面図。
【図５】前記実施形態における密封空間内を真空状態にさせる時の断面図。
【図６】図５の真空状態を解消する時の断面図。
【符号の説明】
【００２６】
２…中空筒体、２１…底面、２２…周面、２３…開口、２４…密封空間、３…蓋体、３１…底壁、３１１…第１の穴、３２…周壁、３３…フランジ、３３１…第２の穴、３４…第１の逆止弁、３４１…外枠、３５…第２の逆止弁、４…抽気装置、４１…押圧部、４１１…第３の穴、４２…入れ子管、４２１…環状体、４２２…スリーブ、４２２１…止め板、４２３…弾性付勢手段、４２４…スリット、４２５…爪片、４３…第３の逆止弁、４４…過渡空間。
【図１】
0003102384.tif 000003
【図２】
0003102384.tif 000004
【図３】
0003102384.tif 000005
【図４】
0003102384.tif 000006
【図５】
0003102384.tif 000007
【図６】
0003102384.tif 000008